(57)【特許請求の範囲】
【請求項１】
錠剤を収容するための複数の膨出部、前記膨出部が配置された領域とは異なる領域に配置されたパッケージ端子群、及び、前記パッケージ端子群に接続されたパッケージ回路を含むパッケージ体と、
モジュール端子群を含み、前記パッケージ体が取り付けられるようになっているモジュール体と、
を備え、
前記パッケージ体の前記パッケージ端子群は、異方導電性部材を介して、前記モジュール体の前記モジュール端子群と電気的に接続され、
前記異方導電性部材は、前記モジュール体に設けられた収容部内に配置されており、
前記収容部は、前記モジュール体の一の面から凹む凹部として構成され、
前記収容部を規定する壁面として、当該収容部内に前記異方導電性部材を配置した状態で当該異方導電性部材の両側に位置する一対の対向壁面が設けられ、
少なくとも一方の対向壁面は、他方の対向壁面に向かって他の部分よりも突出した複数の凸部を含み、
複数の前記凸部は、前記収容部の断面のうち、前記異方導電性部材を前記収容部内に挿入する方向に直交する方向に沿った断面における前記収容部の長手方向に間隔を空けて配置され、各々が前記異方導電性部材を前記収容部内に挿入する方向に沿って延びている、錠剤管理装置。
【請求項２】
前記モジュール体は、旋回可能に接続された第１部品及び第２部品を有し、前記第１部品と前記第２部品との間で前記パッケージ体の前記パッケージ端子群を含む領域を挟んで当該パッケージ体を保持する、請求項１に記載の錠剤管理装置。
【請求項３】
前記モジュール端子群は、前記第１部品と前記第２部品との間で前記パッケージ体を挟んだ状態において、前記第１部品のうちの前記第２部品に覆われる領域に配置され、
前記異方導電性部材は、前記パッケージ体が前記モジュール体に保持された状態で前記パッケージ体と前記モジュール体の前記第１部品とが向き合う方向に押圧されたときに、前記パッケージ端子群と前記モジュール端子群との間を導通させるようになっている、請求項２に記載の錠剤管理装置。
【請求項４】
前記モジュール体は、前記第１部品と前記第２部品との間で前記パッケージ体の前記パッケージ端子群を含む領域を挟んだ状態で、前記第１部品と前記第２部品とを固定するロック部材をさらに有している、請求項２または３に記載の錠剤管理装置。
【請求項５】
前記異方導電性部材は、前記第１部品に設けられた収容部内に配置され、
前記第２部品は、前記第１部品との間で前記パッケージ体を挟んだ状態において前記第１部品の前記収容部に対面する位置に、他の部分よりも前記第１部品側に向かって突出したリブを含んでいる、請求項２乃至４のいずれか一項に記載の錠剤管理装置。
【請求項６】
前記異方導電性部材の一部が、前記収容部から突出している、請求項１乃至５のいずれか一項に記載の錠剤管理装置。
【請求項７】
前記モジュール体のうちの前記収容部が形成された面に、前記収容部に隣接して繋がる窪み部分が設けられている、請求項１乃至６のいずれか一項に記載の錠剤管理装置。
【発明の詳細な説明】
【技術分野】
【０００１】
本発明は、収容した錠剤を管理する錠剤管理装置に関する。
【背景技術】
【０００２】
複数の錠剤を収容し、収容した錠剤の利用状況を管理するモジュール付パッケージが利用に供されている（特許文献１乃至３参照）。例えば、特許文献１乃至３に示すモジュール付パッケージでは、複数の錠剤を収容するパッケージ体を有し、このパッケージ体は、電子部品を収容したモジュール体に装着されている。パッケージ体から錠剤が取り出されると、この取り出しの情報がパッケージ体に配置されたパッケージ回路にて検出され、パッケージ回路からモジュール体に送られるようになっている。錠剤の取り出しの情報を管理することにより、服用による治療効果を期待された通りに得ることに大きく貢献する。
【０００３】
特許文献１乃至３に示すモジュール付パッケージは、パッケージ体とモジュール体とが一体になっている。この場合、錠剤がなくなるとモジュール体ごと廃棄せねばならなく、経済的ではない。そこで、特許文献４に示すように、パッケージ体とモジュール体とを分離可能に構成したモジュール付パッケージの開発も進められている。
【先行技術文献】
【特許文献】
【０００４】
【特許文献１】特開２０１４−１７６５９７号公報
【特許文献２】特開２０１３−３１６３８号公報
【特許文献３】特開２００１−７０４０４号公報
【特許文献４】特開平２−２５７９６０号公報
【発明の概要】
【発明が解決しようとする課題】
【０００５】
端子間接続を利用してパッケージ体とモジュール体とを分離可能に構成した場合、パッケージ体のみを交換してモジュール体を繰り返し使用することができるため、経済的である。しかしながら、パッケージ体の交換を繰り返し行うと、端子同士が直接接触することによる剥がれや摩耗が生じ易い。端子の剥がれや摩耗が生じると、パッケージ体に配置された回路からの情報をモジュール体に伝えることができず、錠剤の取り出しの情報を管理することができなくなる。
【０００６】
本発明は、このような点に鑑みてなされたものであり、パッケージ体を繰り返し交換しても安定して利用することが可能な錠剤管理装置を提供することを目的とする。
【課題を解決するための手段】
【０００７】
本発明による錠剤管理装置は、錠剤を収容するための複数の膨出部、前記膨出部が配置された領域とは異なる領域に配置されたパッケージ端子群、及び、前記パッケージ端子群に接続されたパッケージ回路を含むパッケージ体と、
モジュール端子群を含み、前記パッケージ体が取り付けられるようになっているモジュール体と、を備え、
前記パッケージ体の前記パッケージ端子群は、異方導電性部材を介して、前記モジュール体の前記モジュール端子群と電気的に接続される。
【０００８】
本発明による錠剤管理装置において、前記モジュール体は、旋回可能に接続された第１部品及び第２部品を有し、前記第１部品と前記第２部品との間で前記パッケージ体の前記パッケージ端子群を含む領域を挟んで当該パッケージ体を保持してもよい。
【０００９】
本発明による錠剤管理装置において、前記モジュール端子群は、前記第１部品と前記第２部品との間で前記パッケージ体を挟んだ状態において、前記第１部品のうちの前記第２部品に覆われる領域に配置され、前記異方導電性部材は、前記パッケージ体が前記モジュール体に保持された状態で前記パッケージ体と前記モジュール体の前記第１部品とが向き合う方向に押圧されたときに、前記パッケージ端子群と前記モジュール端子群との間を導通させるようになっていてもよい。
【００１０】
本発明による錠剤管理装置において、前記モジュール体は、前記第１部品と前記第２部品との間で前記パッケージ体の前記パッケージ端子群を含む領域を挟んだ状態で、前記第１部品と前記第２部品とを固定するロック部材をさらに有していてもよい。
【００１１】
本発明による錠剤管理装置において、前記異方導電性部材は、前記第１部品に設けられた収容部内に配置され、前記第２部品は、前記第１部品との間で前記パッケージ体を挟んだ状態において前記第１部品の前記収容部に対面する位置に、他の部分よりも前記第１部品側に向かって突出したリブを含んでいてもよい。
【００１２】
本発明による錠剤管理装置において、前記異方導電性部材は、前記モジュール体に設けられた収容部内に配置されていてもよい。
【００１３】
本発明による錠剤管理装置において、前記異方導電性部材の一部が、前記収容部から突出していてもよい。
【００１４】
本発明による錠剤管理装置において、前記収容部を規定する壁面として、当該収容部内に前記異方導電性部材を配置した状態で当該異方導電性部材の両側に位置する一対の対向壁面が、前記モジュール体に設けられ、少なくとも一方の対向壁面は、他方の対向壁面に向かって他の部分よりも突出した凸部を含んでいてもよい。
【００１５】
本発明による錠剤管理装置において、前記モジュール体のうちの前記収容部が形成された面に、前記収容部に隣接して繋がる窪み部分が設けられていてもよい。
【発明の効果】
【００１６】
本発明による錠剤管理装置によれば、パッケージ端子群が異方導電性部材を介してモジュール端子群と電気的に接続されるため、端子群同士が直接接触することを回避することができる。このため、端子群同士が直接接触することによる剥がれや摩耗を生じ難くすることができ、パッケージ体を繰り返し交換しても錠剤管理装置を高い信頼性で安定して利用することができる。
【図面の簡単な説明】
【００１７】
【図１】一実施形態に係る錠剤管理装置を示す斜視図。
【図２】図１に示す錠剤管理装置を構成するパッケージ体を示す平面図。
【図３】図２に示すパッケージ体の配線図。
【図４】図１に示す錠剤管理装置を構成するモジュール体を示す斜視図。
【図５】図４に示すモジュール体の平面図。
【図６】図４に示す線ＶＩ−ＶＩに沿ったモジュール体の断面をパッケージ体を配置した状態で模式的に示す断面図。
【図７】図４に示す線ＶＩＩ−ＶＩＩに沿ったモジュール体の断面を模式的に示す断面図。
【図８】モジュール体に収容される情報処理機器を説明するためのブロック図。
【図９】図１に示す錠剤管理装置において、新たなパッケージ体をモジュール体に装着する様子を示す斜視図。
【図１０】図２に示すパッケージ体の一変形例を示す平面図。
【図１１】図１０に示すパッケージ体の底面図。
【発明を実施するための形態】
【００１８】
以下、図面を参照して一実施の形態について説明する。なお、本件明細書に添付する図面においては、図示と理解のしやすさの便宜上、適宜縮尺および縦横の寸法比等を、実物のそれらから変更し誇張してある。図１乃至図１１は、一実施の形態及びその変形例を説明するための図である。このうち、図１は、一実施形態に係る錠剤管理装置１を示す斜視図である。
【００１９】
図１に示す錠剤管理装置１は、錠剤の利用に関する情報を管理するモジュール付パッケージである。錠剤管理装置１は、複数の錠剤を収容するパッケージ体２を有し、このパッケージ体２は、電子部品を収容したモジュール体５に装着されている。パッケージ体２から錠剤が取り出されると、この取り出しの情報がパッケージ体２に配置されたパッケージ回路１５（図３参照）にて検出され、パッケージ回路１５からモジュール体５に送られるようになっている。
【００２０】
とりわけ、図１に示すパッケージ体２は、モジュール体５に着脱可能に保持されている。この場合、パッケージ体２内の錠剤がなくなると、使用済みのパッケージ体２を新たなパッケージ体２と交換すればモジュール体５を繰り返し使用することができるため、経済的である。
【００２１】
パッケージ体２とモジュール体５とを分離可能に構成した場合、パッケージ体２とモジュール体５とを端子間で分離可能に接続し、パッケージ体２に配置されたパッケージ回路１５からの信号をモジュール体５に収容された電子部品に伝える必要がある。しかしながら、パッケージ体２の交換を繰り返し行うと、端子同士が直接接触することによる剥がれや摩耗が生じ易い。そこで、本実施の形態では、パッケージ体２の端子群１７（図２参照）とモジュール体５の端子群５１（図５参照）とが直接接触することを防止すべく、パッケージ体２の端子群１７とモジュール体５の端子群５１とを異方導電性部材９０を介して接続している。
【００２２】
先ず、図２を参照して、錠剤を収容するパッケージ体２の概略について説明する。図２は、パッケージ体２を示す平面図である。図２に示すように、パッケージ体２は、錠剤を収容するための複数の膨出部４ａを含んでいる。複数の膨出部４ａは、パッケージ体２内で二次元配列されている。図２に示す例では、パッケージ体２の幅方向ｄ１に並んだ２つの膨出部４ａが、パッケージ体２の長手方向ｄ２に５列並べられ、合計で１０個の膨出部４ａが設けられている。
【００２３】
この膨出部４ａに収容される錠剤としては、医薬品として用いられるものや健康食品として用いられるものが挙げられる。本実施の形態では、錠剤として、医薬品としての錠剤が収容されている。なお、錠剤とは、カプセルやタブレットとも呼ばれ得るものを含む概念である。
【００２４】
図２に示すパッケージ体２は、積層構造体として構成されている。具体的には、複数の膨出部４ａが形成された成形基材４に、カバー基材３（図１参照）を積層することにより形成されている。膨出部４ａをカバー基材３で覆うことにより、錠剤を収容する収容空間２ａが規定される。
【００２５】
図３に、図２に示すパッケージ体２の配線図を示す。図３に示すように、パッケージ体２には、パッケージ回路１５が配置されている。パッケージ回路１５は、膨出部４ａから錠剤が取り出された情報を検出するための回路である。パッケージ回路１５をなす配線１６は、各膨出部４ａを覆うパッケージ体２の部分に掛け渡された分枝１６ａを有している。各膨出部４ａを横切る分枝１６ａは、パッケージ端子群１７に電気的に接続されている。
【００２６】
本実施の形態のパッケージ端子群１７は、パッケージ体２の幅方向ｄ１に並べられた複数の端子１７ａを含み、各端子１７ａは、膨出部４ａを横切る分枝１６ａに接続されている。この場合、錠剤を取り出すべくパッケージ体２が突き破られると、分枝１６ａのうちの膨出部４ａを横切る部分が断線する。この断線した情報が、当該分枝１６ａに接続された端子１７ａに電気信号として伝わることにより、膨出部４ａから錠剤が取り出された情報を検出するようになっている。
【００２７】
このようなパッケージ体２は、モジュール体５に取り外し可能に装着される。図４にモジュール体５の斜視図を示し、図５にモジュール体５の平面図を示す。図４及び図５に示すように、モジュール体５は、旋回可能に接続された第１部品５０及び第２部品６０を有している。図４及び図５に示す例では、第１部品５０に、パッケージ端子群１７からの情報を処理する情報処理機器が収容され、第２部品６０は、第１部品５０に旋回可能に支持されたカバー部品として構成されている。以下の説明では、第１部品５０を本体部品と呼び、第２部品６０をカバー部品と呼ぶ。
【００２８】
カバー部品６０は、薄板状の部材として構成され、旋回軸６５を介して本体部品５０に取り付けられている。カバー部品６０の端部には、係止片６１が設けられている。
【００２９】
モジュール体５は、本体部品５０とカバー部品６０との間でパッケージ体２を挟んで当該パッケージ体２を保持する（図１参照）。本実施の形態では、本体部品５０とカバー部品６０との間でパッケージ体２を挟んだ状態で、本体部品５０に設けられたロック部材７０を作動させることにより、パッケージ体２を挟持するようになっている。とりわけ、図４に示すロック部材７０は、本体部品５０の端部に旋回可能に取り付けられており、その先端に係止爪７１を含んでいる。ロック部材７０の係止爪７１をカバー部品６０の係止片６１に引っ掛ける（係止させる）ことにより、カバー部品６０を本体部品５０にロックすることが可能となる。
【００３０】
本体部品５０は、図４に示すように、カバー部品６０に覆われる内面５０ａを含んでいる。本体部品５０の内面５０ａに、第１方向ｄ１に延びる収容部５６が形成されていて、この収容部５６内にモジュール端子群５１（図６参照）が配置されている。モジュール端子群５１は、カバー部品６０との間でパッケージ体２を挟んだ状態においてパッケージ端子群１７と電気的に接続される。
【００３１】
図６は、モジュール端子群５１が、パッケージ体２のパッケージ端子群１７と接続された状態を示す断面図である。図６に示すように、モジュール端子群５１は、収容部５６の長手方向に平行な第１方向ｄ３に並べられた複数の端子５１ａを含み、各端子５１ａは、パッケージ体２の対応する端子１７ａに異方導電性部材９０を介して接続されるようになっている。
【００３２】
図６に示す異方導電性部材９０において、絶縁性の樹脂材料からなる絶縁樹脂層９１内に、配列方向に沿って複数の導電性繊維９２が配列されている。導電性繊維９２の配列方向は、異方導電性部材９０が収容部５６内に配置された状態において第１方向ｄ３に平行となっている。各導電性繊維９２は、配列方向に直交する厚み方向に長手方向をもち、当該厚み方向の両端でその端部が外部に露出している。この厚み方向は、異方導電性部材９０が収容部５６内に配置された状態において、パッケージ体２と本体部品５０とが向き合う方向ｄ４に平行となっている。
【００３３】
とりわけ、図６に示す状態において、異方導電性部材９０は、前記厚み方向においてパッケージ端子群１７とモジュール端子群５１との間に挟まれている。すなわち、図６に示す状態において、異方導電性部材９０のうちの前記厚み方向における一端に、パッケージ端子群１７が接触し、異方導電性部材９０のうちの前記厚み方向における他端に、モジュール端子群５１が接触している。
【００３４】
図６から理解されるように、パッケージ体２のパッケージ端子群１７がモジュール体５のモジュール端子群５１に異方導電性部材９０を挟んで対面した状態で、パッケージ体２と本体部品５０とが向き合う方向ｄ４に押圧されると、パッケージ端子群１７とモジュール端子群５１とが異方導電性部材９０を介して導通するようになっている。
【００３５】
このような異方導電性部材９０の一例として、信越ポリマー社製、製品名インターコネクタＳタイプが挙げられる。ただし、異方導電性部材９０は、ここで説明したタイプのものに限定されず、他の例として、絶縁性の樹脂材料からなる絶縁樹脂層内に導電性粒子を分散させたタイプのものであってもよい。
【００３６】
とりわけ、本実施の形態による錠剤管理装置１には、異方導電性部材９０がパッケージ体２と本体部品５０とが向き合う方向ｄ４に押圧された際に、パッケージ端子群１７とモジュール端子群５１とを安定して導通させるために、以下の工夫が施されている。
【００３７】
先ず、図４に示すように、凹部として構成された収容部５６内に配置された異方導電性部材９０は、その一部が当該収容部から突出している。これにより、パッケージ体２を本体部品５０とカバー部品６０との間で挟んだ状態において、異方導電性部材９０がカバー部品６０に押圧され易くなる。
【００３８】
さらに、カバー部品６０は、本体部品５０との間でパッケージ体２を挟んだ際に異方導電性部材９０を押圧するためのリブ６２も含んでいる。リブ６２は、第３方向ｄ３に沿った長手方向をもち、カバー部品６０の他の部分よりも本体部品５０側に向かって突出している。また、リブ６２は、本体部品５０とカバー部品６０との間でパッケージ体２を挟んだ状態において、本体部品５０の収容部５６に対面する位置に設けられている。
【００３９】
このような構成によれば、本体部品５０とカバー部品６０との間でパッケージ体２を挟んだ際に、カバー部品６０の他の部分から突出したリブ６２がパッケージ体２を介して異方導電性部材９０を押圧する。これにより、本体部品５０とカバー部品６０との間でパッケージ体２を挟んだ際により確実に異方導電性部材９０を押圧することができ、パッケージ端子群１７とモジュール端子群５１とをさらに安定して導通させることができるようになる。
【００４０】
また、繰り返し使用に伴い異方導電性部材９０が劣化した場合、異方導電性部材９０を交換する必要が生じ得る。そこで、本実施の形態では、異方導電性部材９０の交換を容易にするための工夫もなされている。
【００４１】
先ず、図４に示すように、本体部品５０の内面５０ａに、収容部５６に隣接する窪み部分５３ａ、５３ｂが設けられている。窪み部分５３ａ、５３ｂは、収容部５６から異方導電性部材９０を抜き取る際に、異方導電性部材９０に指をアクセスする経路を確保するためのものである。各窪み部分５３ａ、５３ｂは、収容部５６よりも深さが浅くなっていて、当該収容部５６に繋がっている。図４に示す例では、一対の窪み部分５３ａ、５３ｂが、収容部５６の両側に１つずつ配置されていて、各窪み部分５３ａ、５３ｂは、半ドーム状つまりクォーター球状の形状をもつ。
【００４２】
さらに、図７に、異方導電性部材９０が収容部５６内に配置された状態において、異方導電性部材９０の厚み方向つまり導電性繊維９２の長手方向に直交する断面における錠剤管理装置１の断面を示す。図７に示すように、収容部５６を規定する壁面として、収容部５６の長手方向となる第３方向ｄ３に対向する一対の長手対向壁面５６ａ、５６ｂと、収容部５６の短手方向に対向する一対の短手対向壁面５６ｃ、５６ｄとが、本体部品５０に設けられている。４つの対向壁面５６ａ〜５６ｄに囲まれる空間内に、異方導電性部材９０が収容されている。
【００４３】
とりわけ、各短手対向壁面５６ｃ、５６ｄには、他方の短手対向壁面５６ｃ、５６ｄに向かって他の部分よりも突出する複数の凸部５６ｅを含んでいる。すなわち、各凸部５６ｅは、短手対向壁面５６ｃ、５６ｄの他の部分から異方導電性部材９０に向かって突出している。各短手対向壁面５６ｃ、５６ｄに設けられた複数の凸部５６ｅは、収容部５６の長手方向となる第３方向ｄ３に間隔を空けて配置され、各々が収容部５６の深さ方向、換言すれば異方導電性部材９０の厚み方向に沿って延びている。凸部５６ｅが収容部５６内に配置された異方導電性部材９０に当接することにより、異方導電性部材９０が収容部５６内から抜け難くすることができる。すなわち、凸部５６ｅは、異方導電性部材９０を収容部５６内にワンタッチで装着することを可能にすることに寄与する。
【００４４】
さて、パッケージ体２のパッケージ回路１５にて検出された錠剤の取り出しに関する情報は、パッケージ端子群１７から異方導電性部材９０を介してモジュール端子群５１に伝わる。モジュール端子群５１に伝わった情報は、本体部品５０内に収容された情報処理機器によって処理される。図８に、本体部品５０に収容される情報処理機器８０の構成をブロック図として示す。
【００４５】
情報処理機器８０は、薄膜状の機器である。図８に示す情報処理機器８０は、例えば、本体部品５０内に実装されるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）８１と、水晶振動子８２と、ボタン電池８３と、スピーカ８４と、を有している。
【００４６】
ＡＳＩＣ８１は、モジュール端子群５１に接続され、パッケージ端子群１７からモジュール端子群５１を介して錠剤を取り出した情報を受け取る。ＡＳＩＣ８１は、この受け取った情報を時刻情報とともに時系列で記憶し、記憶した情報に関して不図示のホストコンピュータとの間で無線通信を行う。ＡＳＩＣ８１がホストコンピュータとの間で行う無線通信として、例えば、いわゆるＮＦＣ（Ｎｅａｒ  Ｆｉｅｌｄ  Ｃｏｍｍｕｎｉｃａｔｉｏｎ、近接無線通信）やＢｌｕｅｔｏｏｔｈ（登録商標）の非接触通信が挙げられる。ＡＳＩＣ８１がホストコンピュータとの間で無線通信を行うことにより、利用者の健康に関する情報をホストコンピュータ側で把握し一元的に管理することができる。
【００４７】
ＮＦＣでは、規格上電力の送受もできるため、電池なしで情報処理機器８０を駆動することも原理的には可能である。ただし、本実施形態の情報処理機器８０は、スピーカ８４も備えており、電力の消費量が比較的大きいため、ボタン電池８３を搭載している。
【００４８】
次に、このような構成からなる錠剤管理装置１の利用方法の一例について説明する。
【００４９】
錠剤管理装置１は、例えば通院中の患者によって利用される。利用者は、食後や決まった時間帯にパッケージ体２に収容された錠剤を取り出して服用する。錠剤を取り出すべくパッケージ体２が突き破られると、パッケージ回路１５の分枝１６ａが断線し、この断線した情報が、膨出部４ａから錠剤が取り出された情報を示す電気信号としてパッケージ端子群１７からモジュール端子群５１に伝わる。モジュール端子群５１に伝わった信号は、情報処理機器８０で処理される。
【００５０】
服用を繰り返し、パッケージ体２内の錠剤がなくなると、使用済みのパッケージ体２を新たなパッケージ体２に交換する必要が生じる。新たなパッケージ体２に交換する際には、先ず、図１に示す状態からロック部材７０によるロックを解除し、カバー部品６０を開ける。その後、使用済みのパッケージ体２を本体部品５０から取り外す。
【００５１】
図９に、本体部品５０にパッケージ体２を装着する様子を示す。図９に示すように、本体部品５０にパッケージ体２を装着するには、パッケージ端子群１７が配置されたパッケージ体２の面を本体部品５０側に向けながら、パッケージ端子群１７をモジュール端子群５１が配置された収容部５６に近づけていく。
【００５２】
パッケージ端子群１７を収容部５６に近づけていくと、パッケージ端子群１７が収容部５６内に配置された異方導電性部材９０に接触する。続いて、カバー部品６０を閉じた後ロック部材７０でカバー部品６０を本体部品５０にロックする。これにより、パッケージ体２が本体部品５０とカバー部品６０との間に挟まれて保持されると共に、異方導電性部材９０がパッケージ体２と本体部品５０とが向き合う方向ｄ４に押圧されて、パッケージ端子群１７とモジュール端子群５１とが異方導電性部材９０を介して電気的に接続される。
【００５３】
パッケージ体２を繰り返し交換すると、異方導電性部材９０がパッケージ端子群１７との接触により劣化して交換の必要が生じ得る。異方導電性部材９０を交換する際には、ロック部材７０によるロックを解除した後カバー部品６０を開く。続いて、カバー部品６０を開いた状態で、窪み部分５３ａ、５３ｂを利用して異方導電性部材９０に指をかける。続いて、異方導電性部材９０を指で摘まんだ後、異方導電性部材９０を持ち上げて収容部５６内から引き抜く。その後、使用済みの異方導電性部材９０の代わりに新たな異方導電性部材９０を収容部５６内に挿入する。
【００５４】
以上のように、本実施の形態によれば、錠剤を収容するための複数の膨出部４ａ、膨出部４ａが配置された領域とは異なる領域に配置されたパッケージ端子群１７、及び、パッケージ端子群１７に接続されたパッケージ回路１５を含むパッケージ体２と、モジュール端子群５１を含み、パッケージ体２が取り付けられるようになっているモジュール体５と、を備え、パッケージ体２のパッケージ端子群１７は、異方導電性部材９０を介して、モジュール体５のモジュール端子群５１と電気的に接続される。このような形態によれば、パッケージ端子群１７が異方導電性部材９０を介してモジュール端子群５１と電気的に接続されるため、端子群１７、５１同士が直接接触することを回避することができる。このため、端子群１７、５１同士が直接接触することによる剥がれや摩耗を生じ難くすることができ、パッケージ体２を繰り返し交換しても錠剤管理装置１を高い信頼性で安定して利用することができる。
【００５５】
また、本実施の形態によれば、モジュール体５は、旋回可能に接続された第１部品（本体部品）５０及び第２部品（カバー部品）６０を有し、第１部品５０と第２部品６０との間でパッケージ体２のパッケージ端子群１７を含む領域を挟んで当該パッケージ体２を保持し、モジュール端子群５１は、第１部品５０と第２部品６０との間でパッケージ体２を挟んだ状態において、第１部品５０のうちの第２部品６０に覆われる領域に配置され、異方導電性部材９０は、パッケージ体２がモジュール体５に保持された状態でパッケージ体２とモジュール体５の第１部品５０とが向き合う方向ｄ４に押圧されたときに、パッケージ端子群１７とモジュール端子群５１との間を導通させるようになっている。このような形態によれば、第１部品５０と第２部品６０との間でパッケージ体２を挟むと、異方導電性部材９０が前記向き合う方向ｄ４に押圧されて、パッケージ端子群１７とモジュール端子群５１との間を導通させることができる。すなわち、第１部品５０と第２部品６０との間でパッケージ体２を挟むだけで、パッケージ端子群１７とモジュール端子群５１との間を導通させることができるため、パッケージ体２を交換する作業が容易となる。
【００５６】
さらに、本実施の形態によれば、モジュール体５は、第１部品５０と第２部品６０との間でパッケージ体２のパッケージ端子群１７を含む領域を挟んだ状態で、第１部品５０と第２部品６０とを固定するロック部材７０をさらに有している。このような形態によれば、第１部品５０と第２部品６０とをロック部材７０によって固定することで、第１部品５０と第２部品６０との間に挟まれるパッケージ体２のパッケージ端子群１７が異方導電性部材９０に押し付けられた状態を維持することができる。これにより、パッケージ端子群１７とモジュール端子群５１との間を導通させた状態を安定して維持することができ、パッケージ端子群１７とモジュール端子群５１との間を安定して導通させることに寄与する。
【００５７】
また、本実施の形態によれば、異方導電性部材９０は、第１部品５０に設けられた収容部５６内に配置され、第２部品６０は、第１部品５０との間でパッケージ体２を挟んだ状態において第１部品５０の収容部５６に対面する位置に、他の部分よりも第１部品５０側に向かって突出したリブ６２を含んでいる。このような形態によれば、第１部品５０と第２部品６０との間でパッケージ体２を挟んだ際に、第２部品６０の他の部分から突出したリブ６２が異方導電性部材９０を押圧する。このため、第１部品５０と第２部品６０との間でパッケージ体２を挟んだ状態において、さらに確実に異方導電性部材９０を押圧することができ、パッケージ端子群１７とモジュール端子群５１とをさらに安定して導通させることができるようになる。
【００５８】
また、本実施の形態によれば、異方導電性部材９０は、モジュール体５に設けられた収容部５６内に配置され、異方導電性部材９０の一部が、収容部５６から突出している。この場合、パッケージ体２を第１部品５０と第２部品６０との間で挟むと、収容部５６からはみ出した異方導電性部材９０が第２部品６０に押し込まれ易くなる。このため、第１部品５０と第２部品６０との間でパッケージ体２を挟んだ際にさらに確実に異方導電性部材９０を押圧することができ、パッケージ端子群１７とモジュール端子群５１とをさらに安定して導通させることができるようになる。
【００５９】
また、本実施の形態によれば、収容部５６を規定する壁面として、当該収容部５６内に異方導電性部材９０を配置した状態で当該異方導電性部材９０の両側に位置する一対の対向壁面５６ｃ、５６ｄがモジュール体に設けられ、少なくとも一方の対向壁面５６ｃ、５６ｄは、他方の対向壁面５６ｃ、５６ｄに向かって他の部分よりも突出した凸部５６ｅを含んでいる。このような形態によれば、収容部５６内に異方導電性部材９０を配置すると、収容部５６に設けられた凸部５６ｅが異方導電性部材９０に当接する。凸部５６ｅが異方導電性部材９０に当接することにより、異方導電性部材９０が収容部５６内で動き難くなり、異方導電性部材９０が収容部５６から抜け難くなる。
【００６０】
また、本実施の形態によれば、モジュール体５のうちの収容部５６が形成された面５０ａに、収容部５６に隣接して繋がる窪み部分５３ａ、５３ｂが設けられている。この場合、収容部５６から異方導電性部材９０を抜き取る際に、窪み部分５３ａ、５３ｂに指を当てることで、収容部５６に配置された異方導電性部材９０に指を掛け易くなる。このため、収容部５６から異方導電性部材９０を容易に抜き取ることができる。
【００６１】
また、本実施の形態によれば、パッケージ回路１５は、膨出部４ａに収容された錠剤を取り出すべく、当該膨出部４ａを覆うパッケージ体２の部分が突き破られると、その一部が破断されて、その電気的変化をパッケージ端子群１７に伝えるようになっている。この場合、膨出部４ａに収容された錠剤が取り出された情報をパッケージ端子群１７からモジュール端子群５１に確実に伝えることに寄与する。
【００６２】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６３】
上述した実施の形態では、図２及び図３に示すように、パッケージ体２は、複数の膨出部４ａが形成された成形基材４に、カバー基材３を積層することにより作成される例を示したが、パッケージ体２の構成は、上述した例に限定されない。図１０及び図１１に、パッケージ体２の他の構成例を示す。
【００６４】
図１０及び図１１に示すパッケージ体２を構成するカバー基材３は、可撓性をもつ紙またはプラスチックからなる単一のシート２００を、長手方向に三等分して折り畳んだ構造になっている。なお、図１０は、カバー基材３をなす単一のシート２００を表側から示した平面図であり、図１１は、カバー基材３をなす単一のシート２００を裏側から示した平面図である。
【００６５】
図１０及び図１１に示すように、シート２００は、シート２００の長手方向にこの順で並べられた上基板２１３、下基板２１１及び中基板２１２を含んでいる。上基板２１３と下基板２１１とは、折曲補助手段２０２を介して接続され、下基板２１１と中基板２１２とは、別の折曲補助手段２０２を介して接続されている。
【００６６】
上基板２１３は、折り畳まれた状態において、最も上側に重ねられた層をなす。上基板２１３の表側となる面には、パッケージ体２の表紙としての印刷情報が印刷されている。また、上基板２１３には、膨出部４ａを通過させるための複数の繰抜孔２１３ａが設けられている。
【００６７】
中基板２１２は、折り畳まれた使用状態において、下基板２１１と上基板２１３との間に位置する。中基板２１２の裏側となる面には、収容空間２ａから錠剤が取り出された情報を検出するためのパッケージ回路１５と、パッケージ回路１５に接続されたパッケージ端子群１７と、が配置されている。中基板２１２に配置されたパッケージ回路１５は、重ねられた下基板２１１に覆われ、利用者から観察されないようになっている。また、中基板２１２には、膨出部４ａの形状に対応した複数の繰抜用切込み２１２ａが設けられている。
【００６８】
下基板２１１は、折り畳まれた使用状態において、最も下側に重ねられた層をなす。下基板２１１は、中基板２１２に配置されたパッケージ回路１５を保護する機能ももつ。下基板２１１には、膨出部４ａの形状に対応した複数の繰抜用切込み２１１ａが設けられている。
【００６９】
隣り合う基板２１１〜２１３の間の各折曲補助手段２０２は、当該隣り合う２つの基板２１１〜２１３を折り曲げた際に、当該折曲補助手段２０２を設けられた位置にて基板２１１〜２１３が折り曲げられること、さらには基板２１１〜２１３が折り畳まれることを促進するためのものである。
【００７０】
このようなシート２００によれば、図１１に示す展開状態から、下基板２１１と中基板２１２とを折曲補助手段２０２を利用して折り畳んだ後に、これらを互いに貼り合わせる。続いて、上基板２１３と下基板２１１とを折曲補助手段２０２を利用して折り畳み、さらに、上基板２１３と中基板２１２との間に複数の膨出部４ａが形成された成形基材４を挟み込むことで、図２に示すようなパッケージ体２が得られる。このようにして得られるパッケージ体２によれば、工業的な生産過程を利用してパッケージ体２を効率よく作成することができる。
【００７１】
また、上述した実施の形態では、図１に示すように、パッケージ体２が、モジュール体５を構成する本体部品５０とカバー部品６０との間で挟まれて保持される例を示した。しかしながら、パッケージ体２をモジュール体５に取り付ける形態は、パッケージ体２のパッケージ端子群１７が、異方導電性部材９０を介して、モジュール体５のモジュール端子群５１と電気的に接続される限り、特に限定されない。他の例として、パッケージ体２が、モジュール体５に粘着テープを介して取り付けられてもよい。あるいは、パッケージ体２が、モジュール体５にゴムバンド等の固定具を介して取り付けられてもよい。
【符号の説明】
【００７２】
１    錠剤管理装置
２    パッケージ体
２ａ  収容空間
４ａ  膨出部
５  モジュール体
１５  パッケージ回路
１７  パッケージ端子群
５０  第１部品（本体部品）
５０ａ  内面
５１  モジュール端子群
５６  収容部
５６ｃ、５６ｄ  対向壁面
５６ｅ  凸部
５３ａ、５３ｂ  窪み部分
６０  第２部品（カバー部品）
６２  リブ
７０  ロック部材
９０  異方導電性部材
【図１】
0006660578.tif 000002
【図２】
0006660578.tif 000003
【図３】
0006660578.tif 000004
【図４】
0006660578.tif 000005
【図５】
0006660578.tif 000006
【図６】
0006660578.tif 000007
【図７】
0006660578.tif 000008
【図８】
0006660578.tif 000009
【図９】
0006660578.tif 000010
【図１０】
0006660578.tif 000011
【図１１】
0006660578.tif 000012